【事件の表示】
　特願２０１９−　２７３５０「コミュニケーションシステム、コミュニケーションプログラム、およびコミュニケーション処理方法」拒絶査定不服審判事件〔令和　２年　８月３１日出願公開、特開２０２０−１３５３５７、請求項の数（５）〕について、次のとおり審決する。
【結　論】
　原査定を取り消す。
　本願の発明は、特許すべきものとする。
【理　由】
第１　手続の経緯
　本願は，平成３１年２月１９日の出願であって、令和元年７月４日付けで拒絶理由が通知され、令和元年９月６日に意見書が提出されるとともに手続補正がなされ、令和元年９月１９日付けで拒絶理由（最後）が通知され、令和２年１月３１日に意見書が提出されるとともに手続補正がなされ、令和２年５月２１日付けで令和２年１月３１日付けの手続補正書が却下されると共に、拒絶査定がされ、これに対し、令和２年８月２６日に拒絶査定不服審判の請求がされると同時に手続補正がされ、その後、令和３年７月２７日付けで当審より拒絶理由が通知され（以下、「当審拒絶理由」という。）、令和３年９月２１日に手続補正がされるとともに意見書が提出されたものである。
第２　原査定の概要
　原査定（令和２年５月２１日付け拒絶査定）の概要は次のとおりである。
　本願請求項１−６に係る発明は、以下の引用文献Ａ−Ｄに基づいて、その発明の属する技術の分野における通常の知識を有する者（以下、「当業者」という。）が容易に発明をすることができたものであるから、特許法第２９条第２項の規定により特許を受けることができない。
引用文献等一覧
　Ａ．韓国登録特許第１０−１５９７８１９号公報
　Ｂ．特開２００４−２３４５９４号公報
　Ｃ．特開２００９−２９０３２８号公報
　Ｄ．特開２０１６−２２４６８１号公報
第３　当審拒絶理由の概要
　当審拒絶理由の概要は次のとおりである。
　本願請求項１−５に係る発明は、引用文献１−３に基づいて、当業者が容易に発明をすることができたものであるから、特許法第２９条第２項の規定により特許を受けることができない。
　１．特開２０１６−２２４６８１号公報（原査定の引用文献Ｄ）
　２．国際公開第２０１７／２０１３２６号（当審において新たに引用した文献）
　３．特開２００９−２９０３２８号公報（原査定の引用文献Ｃ）
第４　本願発明
　本願請求項１−５に係る発明（以下、それぞれ「本願発明１」−「本願発明５」という。）は、令和３年９月２１日付けの手続補正で補正された特許請求の範囲の請求項１−５に記載された事項により特定される発明であって、本願発明１は以下のとおりの発明である。
　「　　【請求項１】
　ユーザの操作入力を受け付ける入力手段と、情報の表示を行う表示手段と、情報の通信を行う通信手段とを有してユーザに操作されるユーザ端末と、
複数台の前記ユーザ端末と通信して前記ユーザ端末間のコミュニケーションを許容するサーバとを備え、
　前記サーバは、
互いにコミュニケーションをとる２以上の前記ユーザ端末に対するメッセージの送受信を行うメッセージ管理機能部を備え、
　前記ユーザ端末は、
メッセージ送受信の対象となる相手の選択を受け付ける相手選択部と、
選択された相手から受信したメッセージと操作者自身により送信されたメッセージを時系列に表示する送受信メッセージ表示部とを備え、
　前記送受信メッセージ表示部は、
左右のうち一方が自分、他方が自分以外の接続相手となっており、
コミュニケーション方法を選択するコミュニケーション方法選択部と、
前記操作者自身が送信したいメッセージのテキストデータとしての入力を受け付けるメッセージ入力部と、
それまで表示されていなかった手書き描画入力部を表示して手書き入力に移行する手書き入力開始指示部を備え、
前記送受信メッセージ表示部において、前記手書き入力開始指示部が選択された場合、前記手書き描画入力部を即時に表示して手書き入力可能な状態に移行し、
　前記コミュニケーション方法選択部は、
通話機能部を機能させて相手と無料通話が可能な通話操作ボタンと、
過去に作成した手書き描画画像を選択して送信する手書き描画画像選択ボタンと、
写真撮影または動画撮影をして送信するカメラボタンと、
撮影済みの写真を選択して送信する写真送信ボタンと、
録画済みの動画を選択して送信する動画送信ボタンと、
指定範囲の地図を送信する地図ボタンとを備え、
　前記手書き描画入力部は、
前記操作者自身が手書きで描く手書き描画の入力を受け付ける構成であって選択されているペンによるフリーハンドでの描画を受け付けるとともに、
任意のイラストを選択して配置するイラスト追加を受け付けるイラスト追加手段と、
選択または撮影した写真あるいは任意の地図を背景に合成する背景合成手段と、
描画するペンの少なくとも大きさを変更するペン形状変更ボタンと、
描画するペンの色を変更するペン色変更ボタンと、
描画内容を部分的に消去する消しゴムを選択する消しゴムボタンと、
描画操作を１つ前に戻す戻るボタンと、
戻した描画操作を１つ後に進める進むボタンとを備え、
前記フリーハンドでの描画を用いた手書き描画画像が完成して送信手段が選択されると前記送受信メッセージ表示部へ前記手書き描画画像を送信する構成である
コミュニケーションシステム。」
　なお、本願発明２−５の概要は以下のとおりである。
　本願発明２−３は、本願発明１を減縮した発明である。
　本願発明４は、本願発明１に対応するプログラムの発明であり、本願発明１とカテゴリ表現が異なるだけの発明である。
　本願発明５は、本願発明１に対応する方法の発明であり、本願発明１とカテゴリ表現が異なるだけの発明である。
第５　引用文献、引用発明等
１　引用文献１及び引用発明
（１）　引用文献１
　当審拒絶理由に引用した引用文献１には、図面とともに、以下の記載がある（下線は、特に着目した箇所を示す。以下同様。）。
ア　段落【００１２】−【００１３】
「【００１２】
　図１は、コミュニケーションシステム１のシステム構成を示すブロック図である。
　
コミュニケーションシステム１は、インターネット３に通信可能に接続されたアプリ配信サーバ５、メインサーバ１０、通話サーバ３０、及びユーザ端末５０を有し
【００１３】
　メインサーバ１０は、制御部１１、通信部１２、操作入力部１３、表示部１４、及び記憶部１５を備えている。
　通話サーバ３０は、制御部３１、通信部３２、操作入力部３３、表示部３４、及び記憶部３５を備えている。
　
ユーザ端末５０は、制御部５１、通信部５２、操作入力部５３、表示部５４、音声入力部５５、音声出力部５６、記憶部５７、および撮影部５８を備え
イ　段落【００２３】−【００２４】
「【００２３】
　連絡先ボタン１１７が選択されている状態の接続相手選択画面１１０の上部には、一覧表示部１１６の接続相手１１６ａを削除等する編集ボタン１１１、ユーザ端末５０に登録されている全ての接続相手を一覧表示して選択可能とする接続相手選択画面１１０（図示している画面）を表示する接続相手選択タブ１１２、お気に入りの接続相手を一覧表示するお気に入りタブ１１３、通常の電話機能における電話帳に登録されている連絡先を一覧表示する連絡先タブ１１４、複数の接続相手をまとめたグループを作成するグループ作成ボタン１１５が並べて配置されている。
　これらの各要素により、
接続相手選択部６５
は、ユーザによる接続相手の選択を受け付け、選択された接続相手とメッセージによるコミュニケーションを行うメッセージ機能部６６へ接続相手を渡
【００２４】
　
メッセージ機能部６６は、
メッセージ表示画面１３０を表示し、入力されたメッセージの接続相手への送信と、送信した送信メッセージ１３５および接続相手から受信した受信メッセージ１３６のタイムライン表示部１３４への表示を行
イムライン表示部１３４では、左右のうち一方が自分、他方が自分以外の接続相手となっており、送信と受信が一目でわかるように表示され
ウ　段落【００２８】−【００２９】
「【００２８】
　
メッセージ表示画面１３０の下部には、コミュニケーション方法を選択するコミュニケーション方法選択部１３７、入力内容を文字かイラストかに切り替えてその入力を受け付ける入力内容切替部１３８、入力された内容を接続相手に送信する送信ボタン１３９が設けられ
【００２９】
　
コミュニケーション方法選択部１３７が選択されると、
メッセージ表示画面１３０の下方約半分の領域にコミュニケーション方法一覧１５０を表示
このコミュニケーション方法一覧１５０には、撮影済みの写真を選択して送信する写真送信ボタン１５１、録画済みの動画を選択して送信する動画送信ボタン１５２、写真撮影または動画撮影をして送信するカメラボタン１５３、フリーハンドでのお絵かきをしてできた絵を送信するお絵かきボタン１５４、接続相手とリアルタイムで双方向にフリーハンドでのお絵かきをするお絵かきトークボタン１５５、連絡先を送信する連絡先送信ボタンが設けられ
エ　段落【００３０】
「【００３０】
　
メインサーバ１０
のメッセージ転送部１７は、ユーザ端末５０から受信した送信メッセージ１３５
の内容を接続相手のユーザ端末５０に転送
これにより、入力完了したメッセージの双方向でのやり取りを可能にし
オ　段落【００３３】
「【００３３】
　
ユーザ端末５０のお絵かき機能部６９は、お絵かきトーク画面１７０
を表示し、ユーザによるフリーハンドの描画を受け付け、
お絵かきトーク画面１７０の上部には、
音声による通話を開始する通話操作ボタン１７３、
を備え
お絵かきトーク画面１７０の下部には、描画するペンの形状（大きさなど）を変更するペン形状変更ボタン１７６、描画するペンの色を変更するペン色変更ボタン１７７、描画内容を部分的に消去する消しゴムを選択する消しゴムボタン１７８、描画内容を記憶部５７
に記憶または送信（メール送信、短文投稿サイトへの投稿、またはＳＮＳへの投稿など）する描画内容発信部（描画内容保存部）１７９、写真撮影をしてお絵かき部１７５にその写真を表示して上から描画できるようにするカメラボタン１８１、撮影済みの写真を選択しお絵かき部１７５にその写真を表示して上から描画できるようにする写真選択ボタン１８２を備えている
（２）　引用発明
　よって、引用文献１には、次の発明（以下、「引用発明」という。）が開示されているものと認められる。
「コミュニケーションシステム１は、インターネット３に通信可能に接続されたアプリ配信サーバ５、メインサーバ１０、通話サーバ３０、及びユーザ端末５０を有し、
　ユーザ端末５０は、制御部５１、通信部５２、操作入力部５３、表示部５４、音声入力部５５、音声出力部５６、記憶部５７、および撮影部５８を備え、
　接続相手選択部６５は、ユーザによる接続相手の選択を受け付け、選択された接続相手とメッセージによるコミュニケーションを行うメッセージ機能部６６へ接続相手を渡し、
　メッセージ機能部６６は、メッセージ表示画面１３０を表示し、入力されたメッセージの接続相手への送信と、送信した送信メッセージ１３５および接続相手から受信した受信メッセージ１３６のタイムライン表示部１３４への表示を行い、タイムライン表示部１３４では、左右のうち一方が自分、他方が自分以外の接続相手となっており、送信と受信が一目でわかるように表示され、
　メッセージ表示画面１３０の下部には、コミュニケーション方法を選択するコミュニケーション方法選択部１３７、入力内容を文字かイラストかに切り替えてその入力を受け付ける入力内容切替部１３８、入力された内容を接続相手に送信する送信ボタン１３９が設けられ、
　コミュニケーション方法選択部１３７が選択されると、メッセージ表示画面１３０の下方約半分の領域にコミュニケーション方法一覧１５０を表示し、このコミュニケーション方法一覧１５０には、撮影済みの写真を選択して送信する写真送信ボタン１５１、録画済みの動画を選択して送信する動画送信ボタン１５２、写真撮影または動画撮影をして送信するカメラボタン１５３、フリーハンドでのお絵かきをしてできた絵を送信するお絵かきボタン１５４、接続相手とリアルタイムで双方向にフリーハンドでのお絵かきをするお絵かきトークボタン１５５、連絡先を送信する連絡先送信ボタンが設けられ、
　メインサーバ１０のメッセージ転送部１７は、ユーザ端末５０から受信した送信メッセージ１３５の内容を接続相手のユーザ端末５０に転送し、これにより、入力完了したメッセージの双方向でのやり取りを可能にし、
　ユーザ端末５０のお絵かき機能部６９は、お絵かきトーク画面１７０を表示し、ユーザによるフリーハンドの描画を受け付け、
　お絵かきトーク画面１７０の上部には、音声による通話を開始する通話操作ボタン１７３を備え、
　お絵かきトーク画面１７０の下部には、描画するペンの形状（大きさなど）を変更するペン形状変更ボタン１７６、描画するペンの色を変更するペン色変更ボタン１７７、描画内容を部分的に消去する消しゴムを選択する消しゴムボタン１７８、描画内容を記憶部５７に記憶または送信（メール送信、短文投稿サイトへの投稿、またはＳＮＳへの投稿など）する描画内容発信部（描画内容保存部）１７９、写真撮影をしてお絵かき部１７５にその写真を表示して上から描画できるようにするカメラボタン１８１、撮影済みの写真を選択しお絵かき部１７５にその写真を表示して上から描画できるようにする写真選択ボタン１８２を備えている、
　コミュニケーションシステム１。」
第６　対比・判断
１　本願発明１について
（１）　対比
　本願発明１と、引用発明とを対比すると、以下のことがいえる。
ア　引用発明の「操作入力部５３」と「表示部５４」と「通信部５２」を備える「ユーザ端末５０」は、本願発明１の「ユーザの操作入力を受け付ける入力手段」と、「情報の表示を行う表示手段」と、「情報の通信を行う通信手段」とを有する「ユーザに操作されるユーザ端末」に相当する。
イ　引用発明の「メッセージ転送部１７」を備える「メインサーバ１０」は、本願発明１の「互いにコミュニケーションをとる２以上の前記ユーザ端末に対するメッセージの送受信を行うメッセージ管理機能部」を備える「複数台の前記ユーザ端末と通信して前記ユーザ端末間のコミュニケーションを許容するサーバ」に相当する。
ウ　引用発明の「ユーザ端末５０」が、「接続相手選択部６５」と、「タイムライン表示部１３４」を含む「メッセージ表示画面１３０」とを備えることは、本願発明１の「ユーザ端末」が、「メッセージ送受信の対象となる相手の選択を受け付ける相手選択部」と、「選択された相手から受信したメッセージと操作者自身により送信されたメッセージを時系列に表示する送受信メッセージ表示部」とを備えることに相当する。
エ　引用発明の「メッセージ表示画面１３０」が、「タイムライン表示部１３４では、左右のうち一方が自分、他方が自分以外の接続相手となっており、送信と受信が一目でわかるように表示され」ることは、本願発明１の「前記送受信メッセージ表示部」が、「左右のうち一方が自分、他方が自分以外の接続相手となって」いることに相当する。
　引用発明の「メッセージ表示画面１３０」が、「コミュニケーション方法選択部１３７」を備えることは、本願発明１の「前記送受信メッセージ表示部」が、「コミュニケーション方法を選択するコミュニケーション方法選択部」を備えることに相当する。
　ここで、引用発明では、「前記操作者自身が送信したいメッセージのテキストデータとしての入力を受け付けるメッセージ入力部」を備えることが明記されていない。
　しかしながら、引用発明の「メッセージ表示画面１３０」は、「
入力内容を文字
その入力を受け付ける
オ　引用発明の「コミュニケーション方法選択部１３７」が選択されると表示される「コミュニケーション方法一覧１５０」が、「お絵かきボタン１５４」と「カメラボタン１５３」と「写真送信ボタン１５１」と「動画送信ボタン１５２」とを備えることは、
本願発明１の「前記コミュニケーション方法選択部は、
通話機能部を機能させて相手と無料通話が可能な通話操作ボタンと、
過去に作成した手書き描画画像を選択して送信する手書き描画画像選択ボタンと、
写真撮影または動画撮影をして送信するカメラボタンと、
撮影済みの写真を選択して送信する写真送信ボタンと、
録画済みの動画を選択して送信する動画送信ボタンと、
指定範囲の地図を送信する地図ボタンと
「前記コミュニケーション方法選択部は、
過去に作成した手書き描画画像を選択して送信する手書き描画画像選択ボタンと、
写真撮影または動画撮影をして送信するカメラボタンと、
撮影済みの写真を選択して送信する写真送信ボタンと、
録画済みの動画を選択して送信する動画送信ボタンと、
を備え」る点で共通するといえる。
カ　引用発明が、「お絵かきトーク画面１７０の下部」に、「カメラボタン１８１」及び「写真選択ボタン１８２」と「ペン形状変更ボタン１７６」と「ペン色変更ボタン１７７」と「消しゴムボタン１７８」とを備え、「描画内容発信部（描画内容保存部）１７９」により「描画内容を記憶部５７に記憶または送信（メール送信、短文投稿サイトへの投稿、またはＳＮＳへの投稿など）する」ことは、
本願発明１の「前記手書き描画入力部は、
前記操作者自身が手書きで描く手書き描画の入力を受け付ける構成であって選択されているペンによるフリーハンドでの描画を受け付けるとともに、
任意のイラストを選択して配置するイラスト追加を受け付けるイラスト追加手段と、
選択または撮影した写真あるいは任意の地図を背景に合成する背景合成手段と、
描画するペンの少なくとも大きさを変更するペン形状変更ボタンと、
描画するペンの色を変更するペン色変更ボタンと、
描画内容を部分的に消去する消しゴムを選択する消しゴムボタンと、
描画操作を１つ前に戻す戻るボタンと、
戻した描画操作を１つ後に進める進むボタンと
前記フリーハンドでの描画を用いた手書き描画画像が完成して送信手段が選択されると前記送受信メッセージ表示部へ前記手書き描画画像を送信する構成である」ことと、
「前記手書き描画入力部は、
前記操作者自身が手書きで描く手書き描画の入力を受け付ける構成であって選択されているペンによるフリーハンドでの描画を受け付けるとともに、
選択または撮影した写真あるいは任意の地図を背景に合成する背景合成手段と、
描画するペンの少なくとも大きさを変更するペン形状変更ボタンと、
描画するペンの色を変更するペン色変更ボタンと、
描画内容を部分的に消去する消しゴムを選択する消しゴムボタンと、
を備え、
前記フリーハンドでの描画を用いた手書き描画画像が完成して送信手段が選択されると前記送受信メッセージ表示部へ前記手書き描画画像を送信する構成である」点で共通するといえる。
キ　引用発明の「コミュニケーションシステム１」は、本願発明１の「コミュニケーションシステム」に相当する。
ク　よって、本願発明１と引用発明との一致点・相違点は次のとおりであるといえる。
［一致点］
「ユーザの操作入力を受け付ける入力手段と、情報の表示を行う表示手段と、情報の通信を行う通信手段とを有してユーザに操作されるユーザ端末と、
複数台の前記ユーザ端末と通信して前記ユーザ端末間のコミュニケーションを許容するサーバとを備え、
　前記サーバは、
互いにコミュニケーションをとる２以上の前記ユーザ端末に対するメッセージの送受信を行うメッセージ管理機能部を備え、
　前記ユーザ端末は、
メッセージ送受信の対象となる相手の選択を受け付ける相手選択部と、
選択された相手から受信したメッセージと操作者自身により送信されたメッセージを時系列に表示する送受信メッセージ表示部とを備え、
　前記送受信メッセージ表示部は、
左右のうち一方が自分、他方が自分以外の接続相手となっており、
コミュニケーション方法を選択するコミュニケーション方法選択部と、
前記操作者自身が送信したいメッセージのテキストデータとしての入力を受け付けるメッセージ入力部と、
を備え、
　前記コミュニケーション方法選択部は、
過去に作成した手書き描画画像を選択して送信する手書き描画画像選択ボタンと、
写真撮影または動画撮影をして送信するカメラボタンと、
撮影済みの写真を選択して送信する写真送信ボタンと、
録画済みの動画を選択して送信する動画送信ボタンと、
とを備え、
　前記手書き描画入力部は、
前記操作者自身が手書きで描く手書き描画の入力を受け付ける構成であって選択されているペンによるフリーハンドでの描画を受け付けるとともに、
選択または撮影した写真あるいは任意の地図を背景に合成する背景合成手段と、
描画するペンの少なくとも大きさを変更するペン形状変更ボタンと、
描画するペンの色を変更するペン色変更ボタンと、
描画内容を部分的に消去する消しゴムを選択する消しゴムボタンと、
とを備え、
前記フリーハンドでの描画を用いた手書き描画画像が完成して送信手段が選択されると前記送受信メッセージ表示部へ前記手書き描画画像を送信する構成である
コミュニケーションシステム。」
［相違点１］
　本願発明１の「前記送受信メッセージ表示部」は、さらに、「それまで表示されていなかった手書き描画入力部を表示して手書き入力に移行する手書き入力開始指示部を備え、前記送受信メッセージ表示部において、前記手書き入力開始指示部が選択された場合、前記手書き描画入力部を即時に表示して手書き入力可能な状態に移行」するのに対して、引用発明において、「メッセージ表示画面１３０」には、「手書き入力開始指示部」を備えることが特定されていない点
。
［相違点２］
　本願発明１の「前記コミュニケーション方法選択部」は、さらに、「通話機能部を機能させて相手と無料通話が可能な通話操作ボタン」と、「指定範囲の地図を送信する地図ボタン」とを備えるのに対して、引用発明において、「メッセージ表示画面１３０」下部の「コミュニケーション方法選択部１３７」が選択されたときに表示される「コミュニケーション方法一覧１５０」には、「通話操作ボタン」と、「地図ボタン」とを備えることが特定されていない点。
［相違点３］
　本願発明１の「前記手書き描画入力部」は、さらに、「任意のイラストを選択して配置するイラスト追加を受け付けるイラスト追加手段」と、「描画操作を１つ前に戻す戻るボタン」と、「戻した描画操作を１つ後に進める進むボタン」とを備えるのに対して、引用発明の「お絵かきトーク画面１７０の下部」には、「イラスト追加手段」と「戻るボタン」と「進むボタン」とを備えることが特定されていない点。
（２）　当審の判断
　本願発明１の上記［相違点１］に係る、「前記送受信メッセージ表示部」は、さらに、「それまで表示されていなかった手書き描画入力部を表示して手書き入力に移行する手書き入力開始指示部を備え、前記送受信メッセージ表示部において、前記手書き入力開始指示部が選択された場合、前記手書き描画入力部を即時に表示して手書き入力可能な状態に移行」する構成は、上記引用文献１−３には記載されておらず、周知技術であるともいえない。
　なお、引用発明は、手書き入力の開始に関して、「メッセージ表示画面１３０」で「コミュニケーション方法選択部１３７」が選択されると表示される「接続相手とリアルタイムで双方向にフリーハンドでのお絵かきをするお絵かきトークボタン１５５」を備えている。
　しかしながら、引用発明の「お絵かきトークボタン１５５」とは、「接続相手とリアルタイムで双方向にフリーハンドでのお絵かきをする」という異なる別のモードを開始するためのボタンであって、本願発明１の「手書き入力開始指示部」のように、選択された相手から受信したメッセージと操作者自身が送信したメッセージを時系列に表示するモードのままで、手書き入力可能な状態に移行するためのボタンとは異なるボタンである。
　したがって、他の相違点について判断するまでもなく、本願発明１は、当業者であっても引用発明、引用文献２−３に記載された技術的事項に基づいて容易に発明できたものであるとはいえない。
２　本願発明２−５について
　本願発明２−５も、本願発明１の上記［相違点１］に係る、「前記送受信メッセージ表示部」は、さらに、「それまで表示されていなかった手書き描画入力部を表示して手書き入力に移行する手書き入力開始指示部を備え、前記送受信メッセージ表示部において、前記手書き入力開始指示部が選択された場合、前記手書き描画入力部を即時に表示して手書き入力可能な状態に移行」する構成と、（実質的に）同一の構成を備えるものであるから、本願発明１と同様の理由により、当業者であっても、引用発明、引用文献２−３に記載された技術的事項に基づいて容易に発明をすることができたものとはいえない。
第７　原査定についての判断
　令和３年９月２１日付けの補正により、補正後の請求項１−５は、本願発明１の上記［相違点１］に係る、「前記送受信メッセージ表示部」は、さらに、「それまで表示されていなかった手書き描画入力部を表示して手書き入力に移行する手書き入力開始指示部を備え、前記送受信メッセージ表示部において、前記手書き入力開始指示部が選択された場合、前記手書き描画入力部を即時に表示して手書き入力可能な状態に移行」するという技術的事項を有するものとなった。当該技術的事項は、原査定における引用文献Ａ−Ｄには記載されておらず、本願出願前における周知技術でもないので、本願発明１−５は、当業者であっても、原査定における引用文献Ａ−Ｄに基づいて容易に発明をすることができたものではない。したがって、原査定を維持することはできない。
第８　むすび
　以上のとおり、原査定の理由によって、本願を拒絶することはできない。
　他に本願を拒絶すべき理由を発見しない。
　よって、結論のとおり審決する。